(57)【要約】【課題】この発明は、簡易な構成で、落下による破損防止の促進を図り、安全性の高い持運び携帯を実現し得るようにすることにある。【解決手段】ケース本体１０を第１及び第２の分割ケース１１，１２で形成して、この第１の分割ケース１１内に携帯情報端末１４が収容される弾性インナー部材１３を内装し、該第１の分割ケース１１に対して第２の分割ケース１２を合体させて相互間を、螺子部材１７を用いて固定することにより、携帯情報端末１４の操作部１４１の周囲部に弾性インナー部材１３のガスケット部１３２が圧接されると共に、該弾性インナー部材１３のガスケット部１３２が第２の分割ケース１２に弾性係合されて携帯情報端末１４がケース本体１０内に密閉収容されるように構成したものである。【選択図】      図３
2008206057.tif 000002
【特許請求の範囲】
【請求項１】
操作部を有する携帯端末と、
この携帯端末の操作部を操作可能に露出する窓部を有した第１の分割ケースに対して第２の分割ケースが分割自在に合体されるケース本体と、
前記携帯端末を保持して前記ケース本体内に収容されるものであって、前記第１の分割ケースの窓部の内周側において、前記携帯端末の操作部の周壁に弾性係合する枠状の弾性係合部及び前記第２の分割ケースに対して弾性係合されるガスケット部が設けられた弾性インナー部材と、
前記携帯端末を保持した弾性インナー部材が前記第１の分割ケース内に収容されて、該第１の分割ケースに対して前記第２の分割ケースが合体された状態で相互間を防水性を有して固定する固定手段と、
を具備したことを特徴とする携帯端末の保護ケース。
【請求項２】
前記弾性インナー部材には、前記携帯端末に装着された付属部品を密閉収容する収容部を有することを特徴とすることを請求項１記載の携帯端末の保護ケース。
【請求項３】
前記付属部品は、ＬＡＮアダプタであることを特徴とすることを請求項２記載の携帯端末の保護ケース。
【請求項４】
前記ＬＡＮアダプタは、接続ケーブルが、前記第２の分割ケースと弾性インナー部材との間において、前記第１の分割ケース、弾性インナー部材及び第２の分割ケースで協働して位置決めされてケース本体内に配線されることを特徴とする請求項３記載の携帯端末の保護ケース。
【請求項５】
前記弾性インナー部材には、すり割り構造のケーブル挿通部が設けられ、前記接続ケーブルが前記ケーブル挿通部に通されて防水されてケース本体外に延出されることを特徴とする請求項４記載の携帯端末の保護ケース。
【請求項６】
前記携帯端末は、防水構造を有することを特徴とする請求項１乃至５のいずれか記載の携帯端末の保護ケース。
【請求項７】
前記固定手段は、前記第１の分割ケースに螺子孔を設けて、前記第２の分割ケースに挿通孔を設け、螺子部材を前記第２の分割ケースの挿通孔を通して前記第１の分割ケースの螺子孔に螺合させて、前記第１及び第２の分割ケースを合体状態で固定することを特徴とする請求項１乃至６のいずれか記載の携帯端末の保護ケース。
【発明の詳細な説明】
【技術分野】
【０００１】
この発明は、例えば携帯情報機器等の携帯端末を収納するのに用いられる保護ケースに関する。
【背景技術】
【０００２】
一般に、携帯端末を携帯する手段として、安全を考慮して携帯端末を保護用保護ケースに収容して携帯する方法が採られている。このような携帯端末の保護ケースとしては、分離・合体自在なケース本体とベース部で形成され、ケース本体に携帯用電子機器を収容して、このケース本体に対してベース部を合体させることで、携帯用電子機器を密閉収容するケース構造のものが提案されている（特許文献１参照。）。
【０００３】
この保護ケースに収納された携帯用電子機器は、その周囲部がケース本体により保護されると共に、該ケース本体の第１の領域を通して表示部の視認及び操作部の操作が可能となる。そして、携帯用電子機器が収容された保護ケースは、使用者により携帯されて屋外等の目的場所まで運ばれて、目的場所において、例えば第１の領域を通して、そのケース本体及びベース部内に収容された携帯用電子機器の表示部の視認が行われすると共に、該携帯用電子機器の操作部の操作が行われる。
【特許文献１】特開２００４−１６５４９６号公報
【発明の開示】
【発明が解決しようとする課題】
【０００４】
しかしながら、上記保護ケースでは、携帯時等において、例えば誤って落下させてしまうと、落とした向きにより、ケース本体及びベース部の周囲物にぶつかる位置が異なるために、その補強設計を含む製作が面倒であるという問題を有する。
【０００５】
また、これによると、携帯用電子機器が設計変更されたりすると、その都度、専用の保護ケースが必要となるために、その取扱いが面倒であるという問題を有する。
【０００６】
この発明は、上記の事情に鑑みてなされたもので、簡易な構成で、落下による破損防止の促進を図り得るようにして、安全性の高い持運び携帯を実現し得、且つ、汎用性の向上を図り得るようにした携帯端末の保護ケースを提供することを目的とする。
【課題を解決するための手段】
【０００７】
この発明は、操作部を有する携帯端末と、この携帯端末の操作部を操作可能に露出する窓部を有した第１の分割ケースに対して第２の分割ケースが分割自在に合体されるケース本体と、前記携帯端末を保持して前記ケース本体内に収容されるものであって、前記第１の分割ケースの窓部の内周側において、前記携帯端末の操作部の周壁に弾性係合する枠状の弾性係合部及び前記第２の分割ケースに対して弾性係合されるガスケット部が設けられた弾性インナー部材と、前記携帯端末を保持した弾性インナー部材が前記第１の分割ケース内に収容されて、該第１の分割ケースに対して前記第２の分割ケースが合体された状態で相互間を、防水性を有して固定する固定手段と具えて携帯端末の保護ケースを構成した。
【０００８】
上記構成によれば、ケース本体は、携帯端末を収容した弾性インナー部材が、その第１の分割ケース内に収容されて、該第１の分割ケースに対して第２の分割ケースが合体されて収容されて固定手段で固定されると、携帯端末の操作部の周囲部に弾性インナー部材の弾性係合部が圧接されると共に、該弾性インナー部材のガスケット部が第２の分割ケースに弾性係合されて携帯端末が密閉収容される。これにより、ケース本体を携帯して持ち運んで、その携帯状態において落下させてしまい、ケース本体の一部が周囲物等にぶつかったりした場合に、その衝撃加速度が弾性インナー部材により吸収されて、携帯端末が保護され、室外における安全性の高い持運び携帯を実現したうえで、そのケース本体外からの携帯端末の使用が可能となる。
【発明の効果】
【０００９】
以上述べたように、この発明によれば、簡易な構成で、落下による破損防止の促進を図り得るようにして、安全性の高い持運び携帯を実現した携帯端末の保護ケースを提供することができる。
【発明を実施するための最良の形態】
【００１０】
以下、この発明の実施の形態について、図面を参照して詳細に説明する。
【００１１】
図１は、この発明の一実施の形態に係る携帯端末の保護ケースの外観構成を示すもので、図１は、ケース本体１０を上面側から見た状態を示し、図２は、ケース本体１０を背面側から見た状態を示す。
【００１２】
即ち、ケース本体１０は、例えばポリカーボネート、ＡＢＳ樹脂等の樹脂材料製の分離・合体自在な第１及び第２の分割ケース１１，１２で形成され、この第１及び第２の分割ケース１１，１２内には、シリコン等の弾性材で形成された弾性インナー部材１３（図３参照）を収容される。
【００１３】
第１の分割ケース１１は、断面凹状に形成され、その底面に窓部１１１及びアダプタ収容部１１２が並設されて設けられ、これら窓部１１１及びアダプタ収容部１１２の周囲には、固定手段を構成する螺子孔１１３が所定の間隔に設けられる。そして、第１の分割ケース１１の窓部１１１のアダプタ収容部１１２と逆側の一端部には、ケーブル固定凸部１１４が設けられる。また、第１の分割ケース１１の一端部側の側壁には、ケーブル引出し部１１５が上記ケーブル固定突部１１４に対応して設けられる。
【００１４】
また、第１の分割ケース１１の内壁部には、弾性インナー部材取付け用の複数の係止凸部１１６（図３参照）が所定の間隔に設けられる。この複数の係止凸部１１６には、上記弾性インナー部材１３に外周部に設けられる複数の弾性凹部１３１（図３参照）が弾性係合されて該弾性インナー部材１３が着脱自在に位置決めされて内装される。
【００１５】
弾性インナー部材１３には、弾性係合部を構成する断面Ｌ字状を有した枠状のガスケット部１３２及びＬＡＮアダプタ収容部１３３が、上記第１の分割ケース１１の窓部１１１及びアダプタ収容部１１２に対応して連設されている。このガスケット部１３２及びＬＡＮアダプタ収容部１３３には、携帯端末、例えば表示部を含む操作部１４１が防水構造の携帯情報端末１４及び該携帯情報端末１４に装着したＬＡＮアダプタ１５が収容される。この弾性インナー部材１３は、そのガスケット部１３２及びＬＡＮアダプタ収容部１３３が、上記第１の分割ケース１１の窓部１１１及びアダプタ収容部１１２に収容されて、上記携帯情報端末１４及びＬＡＮアダプタ１５を第１の分割ケース１１内に外部操作可能に内装する。
【００１６】
ここで、携帯情報端末１４は、図４に示すように弾性インナー部材１３のガスケット部１３２の側壁で保持された状態で、該ガスケット部１３２の開口の周縁部が該携帯情報端末１４の表示部を含む操作部１４１の周囲に当接されて、該ガスケット部１３２で防水される（図５参照）。同時に、ＬＡＮアダプタ１５は、弾性インナー部材１３のＬＡＮアダプタ収容部１３３内に弾性係合されて収容される。
【００１７】
上記弾性インナー部材１３には、その周壁部に沿って第２の分割ケース合体用の弾性係止部１３４が設けられ、この弾性インナー部材１３の弾性係止部１３４は、上記第２の分割ケース１２の内壁の周囲部に設けられた係止溝部１２１に弾性力を利用して係止される（図６参照）。これにより、弾性インナー部材１３は、第２の分割ケース１２に対して密閉構造に組付けられる。
【００１８】
また、弾性インナー部材１３には、ケーブル固定凹部１３５が設けられ（図７及び図８参照）、このケーブル固定凹部１３５内には、上記第１の分割ケース１１のケーブル固定凸部１１４が挿入される。そして、このケーブル固定凹部１３５の外周部には、例えば一対のケーブル挟持部１３６（図３中では、図の都合上図示せず、図７及び図８参照）が設けられ、このケーブル挟持部１３６で、ＬＡＮアダプタ収容部１３３に収容されたＬＡＮアダプタ１５から延出されて逆方向に折り変えされた、例えば平面状の外部接続ケーブル１６が挟持されて位置規制される。
【００１９】
弾性インナー部材１３には、ケーブル固定凹部に対応して、例えばすり割り構造と称する開閉自在なケーブル挿通部１３７が設けられる。そして、このケーブル挿通部１３７には、上記ケーブル固定凹部１３５に導かれた外部接続ケーブル１６が、そのすり割構造を利用して挿通する如く収容される。この挿通状態において、ケーブル挿通部１３７は、その弾性力により、外部接続ケーブル１６の周囲に圧接されて、該外部接続ケーブル１６の周囲の防水を行った状態で、上記第１の分割ケース１１のケーブル引出し部１１５からケース外に引出し可能に位置決め保持する。
【００２０】
また、上記第２の分割ケース１２には、その内壁に複数のケーブル係止部１２２が上記弾性インナー部材１３のケーブル固定凹部１３５に対応して突設される（図７及び図８参照）。このケーブル係止部１２２は、上記ＬＡＮアダプタ１５の外部接続ケーブル１６を挟んで上記弾性インナー部材１３のケーブル固定凹部１３５に圧接されて、該外部接続ケーブル１６をケース本体１０内において位置決め固定する。
【００２１】
さらに、上記第２の分割ケース１２には、その係止溝部１２１の周囲部に複数の取付け孔１２３が上記第１の分割ケースの螺子孔１１３に対向して設けられる。これにより、第２の分割ケース１２は、その係止溝部１２１に対して第１の分割ケース１１に内装された弾性インナー部材１３の弾性係止部１３４が弾性係合されて上記第１の分割ケース１１に合体され、その取付け孔１２３に螺子部材１７が挿入されて、例えばナイロン製の抜け止め用ワッシャー部材１８が介在されて第１の分割ケース１１の螺子孔１１３に螺着されて固定される。
【００２２】
ここで、上記携帯情報端末１４及びＬＡＮアダプタ１５は、弾性インナー部材１３を介して合体された第１及び第２の分割ケース１１，１２内において防滴構造で、且つ、衝撃加速度等の衝撃及び振動の付与が軽減された状態で収容される。
【００２３】
上記構成において、携帯情報端末１４をケース本体１０内に収容する場合、先ず、第１及び第２の分割ケース１１，１２を分離して、第１の分割ケース１１内に対して弾性インナー部材１３を、その弾性凹部１３５に、第１の分割ケース１１の係止凸部１１６を弾性係合させて、そのガスケット部１３２及びＬＡＮアダプタ収容部１３３を該第１の分割ケース１１の窓部１１１及びアダプタ収容部１１２に対向させて収容する。同時に、弾性インナー部材１３は、そのケーブル固定凹部１３５に対して第１の分割ケース１１のケーブル固定凸部１１４が挿入される。
【００２４】
そして、弾性インナー部材１３内には、そのガスケット部１３２及びＬＡＮアダプタ収容部１３３に対して携帯情報端末１４及び該携帯情報端末１４に装着したＬＡＮアダプタ１５が収容される。ここで、携帯情報端末１４は、その表示部を含む操作部１４１の周囲部に弾性インナー部材１３のガスケット部１３２が当接され、ＬＡＮアダプタ１５が弾性インナー部材１３のＬＡＮアダプタ収容部１３３に収容される。
【００２５】
この際、ＬＡＮアダプタ１５から延出された外部接続ケーブル１６は、携帯情報端末１４の背面側に巻き回されて、上記弾性インナー部材１３のケーブル固定凹部１３５の上に載置された後、該弾性インナー部材１３のケーブル挿通部１３７に挿通され、第１の分割ケース１１のケーブル引出し部１１５からケース外に導き出される。
【００２６】
なお、上記弾性インナー部材１３は、第１の分割ケース１１に内装する前に、携帯情報端末１４及びＬＡＮアダプタ１５を内装して、上記第１の分割ケース１１に装着するようにしてもよい。
【００２７】
次に、第１の分割ケース１１の開口側には、第２の分割ケース１２が被されて、該第２の分割ケース１２の係止溝部１２１に対して上記弾性インナー部材１３の弾性係止部１３４が、弾性を利用して挿入されて係止される。ここで、第２の分割ケース１２は、その取付け孔１２３に螺子部材１７が挿入されて、ワッシャー部材１８が介在されて第１の分割ケース１１の螺子孔１１３に螺着されて固定され、弾性インナー部材１３を介して第１の分割ケース１１に対して防滴構造に合体される。
【００２８】
これにより、上記携帯情報端末１４及びＬＡＮアダプタ１５は、弾性インナー部材１３を介して合体された第１及び第２の分割ケース１１，１２内において防滴構造で、且つ、衝撃加速度等の衝撃及び振動の付与が軽減された状態で使用可能に収容され、その組立てが完了される。
【００２９】
そして、このケース組立てが完了した状態において、ケース本体１０は、例えば使用者が携帯して屋外の目的場所まで運ばれて、その目的場所で、雨等の厳しい環境においても、第１の分割ケース１１の窓部１１１に露出された携帯情報端末１４の表示部を含む操作部１４１を操作する使用を行うことが可能となる。また、持運び携帯を含む屋外での使用において、携帯情報端末１４を収納したケース本体１０が、使用者の手からすべり落ちて落下させて、石等の周囲物にぶつかり、衝撃加速度が加わった場合には、その弾性インナー部材１３により、その衝撃が吸収されて携帯情報端末１４及びＬＡＮアダプタ１５が保護される。
【００３０】
このように、上記携帯端末の保護ケースは、ケース本体１０を第１及び第２の分割ケース１１，１２で形成して、この第１の分割ケース１１内に携帯情報端末１４が収容される弾性インナー部材１３を内装し、該第１の分割ケース１１に対して第２の分割ケース１２を合体させて相互間を、螺子部材１７を用いて固定することにより、携帯情報端末１４の操作部１４１の周囲部に弾性インナー部材１３のガスケット部１３２が圧接されると共に、該弾性インナー部材１３のガスケット部１３２が第２の分割ケース１２に弾性係合されて携帯情報端末１４がケース本体１０内に密閉収容されるように構成した。
【００３１】
これによれば、保護構造の簡単化を図ったうえで、ケース本体１０を落下させて周囲物等にぶつかったりして、その衝撃加速度が加わると、その衝撃加速度が弾性インナー部材１３により吸収されて、携帯情報端末１４が保護されることにより、室外における安全性の高い持運び携帯が実現される。したうえで、そのケース本体１０外からの携帯端末の使用が可能となる。
【００３２】
また、これによれば、弾性インナー部材１３を交換するだけで、携帯情報端末１４を含むＬＡＮアダプタ１５の形状変更に対応することが可能となるために、汎用性が高められて、その設計変更を含む製作性の向上を図ることが可能となる。
【００３３】
なお、上記実施の形態では、ＬＡＮアダプタ１５を携帯情報端末１４に装着するように構成した場合について説明したが、これに限ることなく、その他、通信カード等の付属部品を携帯情報端末１４に装着するように構成することも可能である。
【００３４】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３６】
【図１】この発明の一実施の形態に係る携帯端末の保護ケースを前面側から見た外観構成を示した斜視図である。
【図２】図１の携帯端末の保護ケースを背面側から見た外観構成を示した斜視図である。
【図３】図１を分解して示した分解斜視図である。
【図４】図１の要部を断面して示した断面図である。
【図５】図４の一部を拡大して示した断面図である。
【図６】図４の一部を拡大して示した断面図である。
【図７】図１の外部接続ケーブルをケース本体内において位置決め固定する部位を一部破断して示した斜視図である。
【図８】図７を断面して示した断面図である。
【符号の説明】
【００３７】
１０…ケース本体、１１…第１の分割ケース、１１１…窓部、１１２…アダプタ収容部、１１３…螺子部材、１１４…ケーブル固定凸部、１１５…ケーブル引出し部、１１６…係止凸部、１２…第２の分割ケース、１２１…係止溝部、１２２…ケーブル係止部、１２３…取付け孔、１３…弾性インナー部材、１３１…弾性凹部、１３２…ガスケット部、１３３…ＬＡＮアダプタ収容部、１３４…弾性係止部、１３５…ケーブル固定凹部、１３６…ケーブル挟持部、１３７…ケーブル挿通部、１４…携帯端末、１４１…操作部、１５…ＬＡＮアダプタ、１６…外部接続ケーブル、１７…螺子部材、１８…ワッシャー部材。
【図１】
2008206057.tif 000003
【図２】
2008206057.tif 000004
【図３】
2008206057.tif 000005
【図４】
2008206057.tif 000006
【図５】
2008206057.tif 000007
【図６】
2008206057.tif 000008
【図７】
2008206057.tif 000009
【図８】
2008206057.tif 000010